(57)【要約】【課題】汚れの少ない時間帯である就寝時等に対応して、自動的に運転パターンを形成し、生活パターンに合わせた運転をおこなうことのできる空気清浄機を提供することを目的とする。【解決手段】本体１内に備えたガス検出部５や粉塵検出部６と、室内の明るさを検出する光検出部８により、ガス検出部５や粉塵検出部６から検出した汚れレベルにより決定される運転風量を光検出部８の検出レベルによりさらに制御して、就寝時等の夜間時に運転風量を下げて低騒音で運転できる空気清浄機を得られる。【選択図】図１
2006015197.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号から決定される前記送風手段の風量を、前記明るさ検出手段からの検出信号がＬＯＷを検出した場合に、前記送風手段の風量を下げるようにした空気清浄機。
【請求項２】
本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号を変換して汚れレベル値として時系列的に２４時間分記憶し、この記憶した汚れレベル値から決定される翌日の前記送風手段の風量を当日の前記明るさ検出手段からの検出信号により下げて前記送風手段の風量を時系列的に制御するようにした空気清浄機。
【請求項３】
本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの検出信号から決定される前記送風手段の風量を下げることのできる操作スイッチを有することを特徴とする空気清浄機。
【請求項４】
本体に設けた吸気口と、この吸気口から吸気した汚れ空気を清浄化する浄化手段と、この浄化手段に通風する送風手段と、空気中の汚れ成分を検出する汚れ検出手段と、人の活動を検出する人検出手段と、前記汚れ検出手段と前記人検出手段からの検出信号により前記送風手段の風量を制御する制御部を有し、前記制御部は前記汚れ検出手段からの信号から決定される前記送風手段の風量を、前記人検出手段からの検出信号が無人を検出した場合に、前記送風手段の風量を下げるようにした空気清浄機。
【請求項５】
制御部は明るさ検出手段からの信号がＬＯＷ検知の場合に、記憶した２４時間分の汚れレベル値により決定される送風手段の運転風量をさらに低下させ、かつ運転時間を延長してなる請求項２記載の空気清浄機。
【請求項６】
制御部は明るさ検出手段からの検出信号を時系列に２４時間のデータとして記憶し、所定日数以上連続して明るさレベル値がＬＯＷとなる時間帯に対して、翌日から間欠運転の停止時間を延ばすようにした請求項２記載の空気清浄機。
【請求項７】
制御部は明るさ検出手段からの検出信号を時系列に２４時間のデータとして記憶し、所定日数以上連続して明るさレベル値がＬＯＷとなる時間帯に対して、翌日から間欠運転する送風手段の風量を下げるようにした請求項２記載の空気清浄機。
【請求項８】
制御部は明るさ検出手段からの検出信号を時系列に２４時間のデータとして記憶し、連所定日数以上連続して明るさレベル値がＬＯＷとなる時間帯に対して、翌日から間欠運転を汚れ検出手段による検知運転をおこなう自動運転とするようにした請求項２記載の空気清浄機。
【請求項９】
制御部は明るさ検出手段からの検出信号がＬＯＷとなる場合に、汚れ検出手段の感度を下げるようにした請求項１または２記載の空気清浄機。
【請求項１０】
制御部は明るさ検出手段からの検出信号がＬＯＷからＨＩＧＨへの変更を検知した時点で間欠運転を実施するようにした請求項１または２記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図８および図９を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設け、本体１０１の前面に空気の汚れを検出するガスセンサー１０８を設けている。
【０００４】
上記構成において、粉塵センサー１０７またはガスセンサー１０８が汚れを検出したとき、制御部１０６は粉塵センサー１０７またはガスセンサー１０８からの信号の大小によりファンモーター１０５の回転数を変えて通風量を変化させ、室内の汚れに対応した清浄化運転を行なっている（例えば、特許文献１参照）。
【０００５】
また、自動的に間欠運転する機能を備えたものでは間欠的にファンモータ１０５を駆動させて室内空気を呼び込み、粉塵センサー１０７やガスセンサー１０８にて雰囲気汚れを効率良く検出するものである。（例えば、特許文献２参照）
【特許文献１】特許第２７５８６５５号公報
【特許文献２】特開平１０−１２２６１５号公報
【発明の開示】
【発明が解決しようとする課題】
【０００６】
このような従来の空気清浄機では、夜中の就寝中であっても粉塵センサーやガスセンサーが空気汚れを検出すると規定の運転風量で運転するので、運転音が高くなり騒々しいという課題があり、就寝中のような夜中に空気の汚れが発生した場合でも静かに運転して汚れを除去することが要求されている。
【０００７】
また、空気汚れが発生しにくい時間帯であっても、定期的に間欠運転を継続することによりクリーンな環境を維持できるが、夜中など静かな時間帯では騒音源になり得るという課題があり、空気汚れが発生しない時間帯には運転方法を変えて、省エネ・低騒音の運転とすることが要求されている。
【０００８】
また、帰宅時などの外部からの汚れを持ち込む場合においては風量を大きくして汚れを素早く集塵したいため、わざわざ操作して運転モードを変更しなければならないという課題があり、帰宅時に合わせて大風量で運転して汚れを集塵することが要求されている。
【０００９】
本発明は、このような従来の課題を解決するものであり、就寝中のような静かな状況では低騒音で運転し、また、生活シーンにより汚れの発生する可能性が低い時間帯はクリーン環境を維持する運転よりも騒音を抑える運転とし、また帰宅時などは大風量にて運転して一気に集塵してしまう空気清浄機を提供することを目的としている。
【課題を解決するための手段】
【００１０】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号から決定される前記送風手段の風量を、前記明るさ検出手段からの検出信号がＬＯＷを検出した場合に、前記送風手段の風量を下げるようにしたものである。
【００１１】
この手段により就寝中のような夜中に空気の汚れが発生した場合でも静かに運転して汚れを除去することができる空気清浄機が得られる。
【００１２】
また、本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号を変換して汚れレベル値として時系列的に２４時間分記憶し、この記憶した汚れレベル値と前記明るさ検出手段からの検出信号とを演算して前記送風手段の風量を時系列的に制御するようにしたものである。
【００１３】
この手段により就寝中のような夜中に空気の汚れが発生した場合でも静かに運転して汚れを除去することができる空気清浄機が得られる。
【００１４】
また、本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの検出信号から決定される前期送風手段の風量を下げることのできる操作スイッチを有するものである。
【００１５】
この手段により就寝中のような夜中に空気の汚れが発生した場合でも静かに運転して汚れを除去することができる空気清浄機が得られる。
【００１６】
また、本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、人の活動を検出する人検出手段と、前記汚れ検出手段と前記人検出手段からの検出信号により前記送風手段の風量を制御する制御部を有し、前記制御部は前記汚れ検出手段からの信号から決定される前記送風手段の風量を、前記人検出手段からの検出信号が無人を検出した場合に、前記送風手段の風量を下げるようにしたものである。
【００１７】
この手段により就寝中のような夜中に空気の汚れが発生した場合でも静かに運転して汚れを除去することができる空気清浄機が得られる。
【００１８】
また、本発明の空気清浄機は上記目的を達成するために制御部は明るさ検出手段からの信号がＬＯＷ検知の場合に、記憶した２４時間分の汚れレベル値により決定される送風手段の運転風量を低下させ、運転時間を延長するようにしたものである。
【００１９】
この手段により空気汚れが発生しない時間帯には運転方法を変えて、省エネ・低騒音の運転とすることができる空気清浄機が得られる。
【００２０】
また、本発明の空気清浄機は上記目的を達成するために制御部は明るさ検出手段からの検出信号を時系列データとして記憶し、所定日数以上連続して明るさレベル値がＬＯＷとなる時間帯に対して、翌日から間欠運転の停止時間を延ばすようにしたものである。
【００２１】
この手段により空気汚れが発生しない時間帯には運転方法を変えて、省エネ・低騒音の運転とすることができる空気清浄機が得られる。
【００２２】
また、本発明の空気清浄機は上記目的を達成するために制御部は明るさ検出手段からの検出信号を時系列データとして記憶し、所定日数以上連続して明るさレベル値がＬＯＷとなる時間帯に対して、翌日から間欠運転する送風手段の風量を下げるようにしたものである。
【００２３】
この手段により空気汚れが発生しない時間帯には運転方法を変えて、省エネ・低騒音の運転とすることができる空気清浄機が得られる。
【００２４】
また、本発明の空気清浄機は上記目的を達成するために制御部は明るさ検出手段からの検出信号を時系列データとして記憶し、所定日数以上連続して明るさレベル値がＬＯＷとなる時間帯に対して、翌日から間欠運転を汚れ検出手段による検知運転をおこなう自動運転とするようにしたものである。
【００２５】
この手段により空気汚れが発生しない時間帯には運転方法を変えて、省エネ・低騒音の運転とすることができる空気清浄機が得られる。
【００２６】
また、本発明の空気清浄機は上記目的を達成するために制御部は明るさ検出手段からの検出信号がＬＯＷからＨＩＧＨへの変更を検知した時点で間欠運転を実施するようにしたものである。
【００２７】
この手段により帰宅時に合わせて大風量で運転して汚れを集塵することができる空気清浄機が得られる。
【発明の効果】
【００２８】
本発明によれば明るさ検出手段によって夜中の就寝中のような低騒音環境下を検知することで、汚れが発生した場合でも静かに汚れを除去できるという効果のある空気清浄機を提供できる。
【００２９】
また、汚れ検出手段からの信号を変換して汚れレベル値として時系列的に２４時間分記憶し、この汚れレベル値から決定される風量を明るさ検出手段からの検出信号により加工して送風手段の風量を時系列的に制御するので、生活シーンに適した運転ができるという効果のある空気清浄機を提供できる。
【００３０】
また、汚れ検出手段からの検出信号から決定される送風手段の風量を下げることのできる操作スイッチを有することで、騒音を抑えたい時に抑えることができるという効果のある空気清浄機を提供できる。
【００３１】
また、人検出手段により人の活動を検出することができるので、人の活動がない場合には運転風量を下げることで、余分な運転を抑制することができるという効果のある空気清浄機を提供できる。
【００３２】
また、明るさ検出手段からの信号がＬＯＷの場合は、送風手段の運転風量をさらに低下させ、かつ運転時間を延長することで、静かに確実に汚れを除去することのできるという効果のある空気清浄機を提供できる。
【００３３】
また、明るさ検出手段からの検出信号を時系列に２４時間のデータとして記憶し、所定日数以上連続して明るさレベル値がＬＯＷとなる時間帯に対して、翌日から間欠運転の停止時間を延ばすことで、省エネルギーで低騒音運転することができるという効果のある空気清浄機を提供できる。
【００３４】
また、明るさ検出手段からの検出信号を時系列に２４時間のデータとして記憶し、所定日数以上連続して明るさレベル値がＬＯＷとなる時間帯に対して、翌日から間欠運転の送風手段の風量を下げることで、さらに騒音を低減することができるという効果のある空気清浄機を提供できる。
【００３５】
また、明るさ検出手段からの検出信号を時系列に２４時間のデータとして記憶し、所定日数以上連続して明るさレベル値がＬＯＷとなる時間帯に対して、翌日から間欠運転を汚れ検知手段による検知運転をおこなう自動運転とすることで、汚れ発生時のみ運転する実際の生活シーンに合わせた運転ができるという効果のある空気清浄機を提供できる。
【００３６】
また、明るさ検出手段からの検出信号がＬＯＷとなる場合に、汚れ検出手段の感度を下げることで、同じ汚れに対しても検出する汚れレベル値としては低くなり、送風手段による風量も低くなるので、低騒音の運転ができるという効果のある空気清浄機を提供できる。
【００３７】
また、明るさ検出手段からの検出信号がＬＯＷからＨＩＧＨへの変更を検知した時点で間欠運転を開始することで、帰宅時に一気に運転して衣服に付着した花粉等の粉塵が部屋中に散らばる前に集塵することができるという効果のある空気清浄機を提供できる。
【発明を実施するための最良の形態】
【００３８】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号から決定される前記送風手段の風量を、前記明るさ検出手段からの検出信号がＬＯＷを検出した場合に、前記送風手段の風量を下げるようにしたものであり、夜中の就寝時は汚れレベルも少なく、汚れを検出しても低風量で運転して就寝の妨げにならずに汚れを除去できるという作用を有する。
【００３９】
また、本体に設けた吸気口と、この吸気口から吸気した汚れ空気を清浄化する浄化手段と、この浄化手段に通風する送風手段と、空気中の汚れ成分を検出する汚れ検出手段と、室内の明るさを検出する明るさ検出手段と、前記汚れ検出手段と前記明るさ検出手段からの検出信号により前記送風手段の風量を制御する制御部を有し、前記制御部は前記汚れ検出手段からの信号を変換して汚れレベル値として時系列的に２４時間分記憶し、この記憶した汚れレベル値から決定される翌日の前記送風手段の風量を、当日の前記明るさ検出手段からの検出信号により下げて、前記送風手段の風量を時系列的に制御するようにしたものであり、夜中の就寝時に汚れを検出しても低風量で運転するため就寝の妨げにならずに汚れを除去できるという作用を有する。
【００４０】
また、本体に設けた吸気口と、この吸気口から吸気した汚れ空気を清浄化する浄化手段と、この浄化手段に通風する送風手段と、空気中の汚れ成分を検出する汚れ検出手段と、前記汚れ検出手段からの検出信号により前記送風手段の風量を制御する制御部を有し、前記制御部は前記汚れ検出手段からの検出信号から決定される前記送風手段の風量を下げることのできる操作スイッチを有したものであり、就寝前に操作スイッチを操作することで就寝中に汚れ検出しても低風量で運転するため就寝の妨げにならずに汚れを除去できるという作用を有する。
【００４１】
また、本体に設けた吸気口と、この吸気口から吸気した汚れ空気を清浄化する浄化手段と、この浄化手段に通風する送風手段と、空気中の汚れ成分を検出する汚れ検出手段と、人の活動を検出する人検出手段と、前記汚れ検出手段と前記人検出手段からの検出信号により前記送風手段の風量を制御する制御部を有し、前記制御部は前記汚れ検出手段からの信号から決定される前記送風手段の風量を、前記人検出手段からの検出信号が無人を検出した場合に、前記送風手段の風量を下げるようにしたものであり、人がいない場合や人が活動していない場合においては静かな状況と判断して、汚れを検出しても低風量で運転するため低騒音で汚れを除去できるという作用を有する。
【００４２】
また、明るさ検出手段からの信号がＬＯＷ検知の場合に、記憶した２４時間分の汚れレベル値により決定される送風手段の運転風量をさらに低下させ、かつ運転時間を延長するものであり、汚れを未検出の場合でも予測運転するため最低風量にて長時間運転することで低騒音でかつきれいな環境を維持できるという作用を有する。
【００４３】
また、明るさ検出手段からの検出信号を時系列に２４時間のデータとして記憶し、所定日数以上連続して明るさレベル値がＬＯＷとなる時間帯に対して、翌日から間欠運転の停止時間を延ばすようにしたものであり、その時間帯の間欠運転の運転回数を減らし省エネルギーを図り、騒音発生を抑えるという作用を有する。
【００４４】
また、明るさ検出手段からの検出信号を時系列に２４時間のデータとして記憶し、所定日数以上連続して明るさレベル値がＬＯＷとなる時間帯に対して、翌日から間欠運転する送風手段の風量を下げるものであり、その時間帯の間欠運転の運転風量を下げて省エネルギーを図り、騒音発生を抑えるという作用を有する。
【００４５】
また、明るさ検出手段からの検出信号を時系列に２４時間のデータとして記憶し、所定日数以上連続して明るさレベル値がＬＯＷとなる時間帯に対して、翌日から間欠運転を汚れ検出手段による検知運転をおこなう自動運転としたものであり、汚れが発生した時のみ運転させるという作用を有する。
【００４６】
また、明るさ検出手段からの検出信号がＬＯＷとなる場合に、汚れ検出手段の感度を下げるものであり、汚れを検知した場合でも通常時より検知感度が低いため低風量で運転し騒音発生を抑えるという作用を有する。
【００４７】
また、明るさ検出手段からの検出信号がＬＯＷからＨＩＧＨへの変更を検知した時点で間欠運転をおこなうようにしたものであり、夜間等に帰宅して照明を点灯させた時に明るさ検出信号がＬＯＷからＨＩＧＨへ切り換わるので自動的に運転を開始して衣服等に付着した花粉等が部屋中に散らばる前に除去するという作用を有する。
【００４８】
以下、本発明の実施の形態について図面を参照しながら説明する。
【００４９】
（実施の形態１）
図１〜図３に示すように、空気清浄機本体１は略箱形に形成され、本体１の正面にはフロントパネル（図示せず）を設け、本体１の側面に吸気口２を形成している。本体１内には空気を清浄化するためフィルター３と、このフィルター３に通風するファンモーター４が備えられ、本体１側面に吹出口１０が設けられている。ファンモーター４の駆動により吸気口２ａ、２ｂから空気が吸い込まれ、フィルター３を通って清浄された後、吹出口１０から吹き出される。
【００５０】
本体１左上部にはガスセンサ５ａを備えたガス検出部５が設けられ、本体１側面には光学式の粉塵センサ６ａを備えた粉塵検出部６が設けられている。
【００５１】
また本体１の正面上部には操作部９が設けられ、操作部９の内側に制御部７および光センサ８ａを備えた光検出部８が収納され、制御部７に演算部１２を設けている。本体１の正面左端部に室内空気の汚れ状態を色変化で表す汚れ表示部１１を備えている。
【００５２】
上記構成において、電源が通電されると制御部７はガス検出部５または粉塵検出部６で検出した出力信号を０〜５の汚れレベル値に変換する。また、光検出部８は室内が暗いと検出した場合はＬＯＷに、明るいと検出した場合はＨＩＧＨのレベルに変換する。
【００５３】
次に、光検出部８がＨＩＧＨレベルを検知している場合、ガス検出部５または粉塵検出部６により空気汚れを検出すると、汚れ表示部１１が青色から赤色に変化し汚れレベルに応じた風量で運転を開始する。このときガス検出部５または粉塵検出部６の検出する汚れレベルに対するファンモーター４の送風量は図２（イ）に示す関係としている。
【００５４】
一方、光検出部８がＬＯＷレベルを検知している場合、ガス検出部５または粉塵検出部６の検出する汚れレベルに対するファンモーター４の送風量を図２（ロ）に示すように変更している。
【００５５】
以上のように光検出部８にて検出される信号により、暗い場合は運転風量を下げて運転することにより夜中の就寝時等には低騒音にて運転することができる。
【００５６】
なお、実施の形態１では光検出部を用いて昼夜の検出をおこない、人の活動を想定して
運転風量を下げたが、操作スイッチを設けて強制的に運転風量を下げても良く、また人検出部を設けて人の活動を検知して運転風量を下げても、その作用効果に差異を生じない。
【００５７】
また、光検出部を用いて昼夜の検出をおこない汚れレベルに対する規定運転風量を下げたが、汚れレベルを決定するガス検出部および粉塵検出部の感度を下げることで運転風量を下げても良い。
【００５８】
また、夜中の就寝時での設定にしているが、静かにテレビを見たい場合や勉強等の集中して作業する状況に対しても、その作用効果に差異は生じない。
【００５９】
（実施の形態２）
実施の形態１と同一部分については同一番号を付し、詳しい説明は省略する。
【００６０】
図４に示すように、電源が通電されると制御部７は２０分間隔でガス検出部５または粉塵検出部６で検出した出力信号を０〜５の汚れレベル値に変換し、各２０分間の汚れレベル値の最大値を記憶し始め、トータル２４時間分の７２データを時系列に記憶する。
【００６１】
まず、初回運転を開始するために操作部９を自動運転に設定すると、基本動作としてファンモーター４を１０分間運転し、５０分間停止するサイクルを繰り返す。ガス検出部５または粉塵検出部６により空気汚れを検出すると、汚れ表示部１０が青色から赤色に変化し汚れレベルに応じた風量で運転を開始する。このときガス検出部５または粉塵検出部６の検出する汚れレベルに対するファンモーター４の送風量は図２（イ）に示す関係としている。
【００６２】
空気汚れが清浄化され汚れレベルが０になるとファンモーター４が停止するが、５０分間の停止状態が継続していると判断した場合に、制御部７は１０分間の運転と５０分間の停止サイクルを繰り返す間欠運転に再び移行する。
【００６３】
以上のような運転を行なう間に制御部７はガス検出部５または粉塵検出部６で検出した信号を０〜５の６段階の汚れレベル値に変換し、この汚れレベル値を２０分間隔の時系列データとして翌日の予測運転のために記憶する。なお、このときの個々の汚れレベル値は各２０分間の最高値を記憶するようにしているが、各２０分間の平均値としてもよい。
【００６４】
次の日（汚れデータ値の記憶開始から２４時間後）は、記憶された汚れレベル値に対応する風量に対して光検出部８からの検出信号による判断を加えた風量にて１０分ＯＮ、１０分ＯＦＦの基本間欠運転を行なう。例えば図４（イ）（ロ）に示すように、２２時から２３時の２０分毎に検出される汚れレベル値は５，２，１となり、次の日の基本間欠運転は運転風量を強（１０分）、０、中（１０分）、０、弱（１０分）、０の１０分間隔の間欠運転となるが、図４（ハ）に示すように、帰宅していない場合や就寝時のような室内が暗い場合は、運転風量を中（１０分）、０、弱（１０分）、０、弱（１０分）、０の１０分間の間欠運転となるようにしており、この基本間欠運転を行なうときも、室内の空気汚れをガス検出部５や粉塵検出部６により検出を行ない、この検出された汚れレベル値に従った風量を、基本間欠運転の風量０区間に加えた実動運転を行なう。
【００６５】
このように、前日の汚れレベルを時系列的に記憶して基本間欠運転を設定し、翌日の室内の明るさレベルを加味して実際の運転風量を決定することで想定外の状況であっても無駄な運転をすることなく、低騒音で運転することができる。
【００６６】
（実施の形態３）
実施の形態１あるいは２と同一部分については同一番号を付し、詳しい説明は省略する。図５に示すように、制御部７は記憶した２０分毎の汚れレベル値に対応した風量に対して、光検出部８によりＬＯＷ検出されている時間帯は風量を下げ運転時間を延長するものである。
【００６７】
上記構成において、例えば図５の（イ）（ロ）に示すように２２時から２３時の２０分毎に検出される汚れレベル値は５，２，１となり、次の日の基本間欠運転は運転風量を強（１０分）、０、中（１０分）、０、弱（１０分）、０の１０分間隔の間欠運転となるが、図５の（ハ）に示すように、帰宅していない場合や就寝時のような室内が暗い場合は、運転風量を弱（２０分）、弱（１５分）、０、弱（１０分）、０の風量弱による間欠運転となるようにしている。
【００６８】
このように夜中のような就寝中においては大風量で運転することは無く、超低騒音で運転するので生活シーンに適した運転をすることができる。
【００６９】
（実施の形態４）
実施の形態１、２あるいは３と同一部分については同一番号を付し、詳しい説明は省略する。図６（イ）（ロ）に示すように、夜中などの光検出部８がＬＯＷレベルを検出する時間帯においてもガス検出部５と粉塵検出部６のいずれも空気汚れが検出されない場合、その間は一定間隔（１０分ＯＮ、５０分ＯＦＦ）の間欠運転により運転を継続させるが、光検出部８が３日以上ＬＯＷレベルを検知する時間帯においては、制御部７は間欠運転の運転時間１０分を変えず、停止時間を５０分から１１０分に延ばす運転に変更する。
【００７０】
このように、夜中であって空気汚れの発生のない時間帯では間欠運転の停止時間を延ばすことにより、無駄な送風運転を減らした省エネ運転とすることができ、騒音を低減することができる。
【００７１】
次に図６（ハ）に示すように光検出部８が５日以上ＬＯＷレベルを検知する時間帯においては、制御部７は間欠運転の運転風量を減少させるようにする。
【００７２】
このように、光検出部がＬＯＷ検出される時間帯が連続する場合は間欠運転の運転風量を減少させ、本実施の形態では最低風量とすることで運転騒音を大幅に下げることができる。
【００７３】
また図６（ニ）に示すように光検出部８が７日以上ＬＯＷレベルを検知する時間帯においては、制御部７は間欠運転をガス検出部５および粉塵検出部６による汚れ検知運転に移行し、汚れを検知した時だけ運転する自動運転に切り換える。
【００７４】
このように、光検出部がＬＯＷ検出される時間帯が長期間続く場合は、間欠運転から汚れ検知により運転するの自動運転に移行することで、超省エネ・無音化に加えて就寝中は送風運転を停止するという生活シーンに合わせた運転とすることができる。
【００７５】
（実施の形態５）
実施の形態１、２、３あるいは４と同一部分については同一番号を付し、詳しい説明は省略する。図７のように、制御部７は光検出部８からの検出信号が連続して２時間以上ＬＯＷ検知した後ＨＩＧＨへの変更を検知すると、最大風量での運転を１０分間おこなうようににしたものである。
【００７６】
このように、帰宅して室内照明を点灯した時などに運転を開始することで衣服に付着した花粉等の粉塵を効率良く除去することができる。
【産業上の利用可能性】
【００７７】
光センサを用いて就寝中の騒音を低くして運転することができるので、空気清浄機の他就寝中でも使用するエアコン等の運転制御にも適用できる。
【図面の簡単な説明】
【００７８】
【図１】本発明の実施の形態１の空気清浄機の一部破断の外観斜視図
【図２】同各検出部の汚れレベル値に対する運転風量の相関図
【図３】同制御ブロック図
【図４】本発明の実施の形態２のタイミングチャート
【図５】本発明の実施の形態３のタイミングチャート
【図６】本発明の実施の形態４のタイミングチャート
【図７】本発明の実施の形態５のタイミングチャート
【図８】従来の空気清浄機の一部破談の外観斜視図
【図９】同空気清浄機の間欠運転のタイミングチャート
【符号の説明】
【００７９】
１  本体
２  吸気口
３  フィルター（浄化手段）
４  ファンモーター（送風手段）
５  ガス検出部（汚れ検出手段）
６  粉塵検出部（汚れ検出手段）
７  制御部
８  光検出部（明るさ検出手段）
【図１】
2006015197.tif 000003
【図２】
2006015197.tif 000004
【図３】
2006015197.tif 000005
【図４】
2006015197.tif 000006
【図５】
2006015197.tif 000007
【図６】
2006015197.tif 000008
【図７】
2006015197.tif 000009
【図８】
2006015197.tif 000010
【図９】
2006015197.tif 000011